(57)【要約】【課題】上枠部材や下枠部材の施工誤差や加工誤差等を効果的に吸収して、ボルト部材の下端雄ネジ部を上枠部材等の下面側に設けたナット部材にスムーズに螺合してゆくことのできるユニット吊上げ連結金具を提供する【解決手段】住宅ユニット１０の吊上げ用や連結用に用いるユニット吊上げ連結金具１４であって、住宅ユニット１０の上枠部材１５の下面に沿って設置され、上枠部材１５を貫通して設けられるボルト部材１７の下端雄ネジ部２３が遊挿されるボルト孔２５を有するベースプレート部材２４と、雌ネジ孔２６をボルト孔２５に重ね合わせるようにしてベースプレート部材２４の下面側に配設されるナット部材１８とからなり、ナット部材１７は、遊嵌取付け部材３３を介して取り付けられ、その中心軸がボルト孔２５の中心軸とずれるように遊動可能で、且つ回転が阻止された状態で、ベースプレート部材２４の下面側に設けられる。【選択図】        図３
2004257118.tif 000002
【特許請求の範囲】
【請求項１】
住宅ユニットに取り付けて当該住宅ユニットの吊上げ用に、又は上下の住宅ユニットの連結用に使用されるユニット吊上げ連結金具であって、
前記住宅ユニットを構成する上枠部材又は下枠部材の下面に沿って設置され、前記上枠部材又は下枠部材を貫通して設けられるボルト部材の下端雄ネジ部が遊挿されるボルト孔を有するベースプレート部材と、雌ネジ孔を前記ボルト孔に重ね合わせるようにして前記ベースプレート部材の下面側に配設されるナット部材とからなり、
該ナット部材は、遊嵌取付け部材を介して配設されることにより、前記雌ネジ孔の中心軸が前記ボルト孔の中心軸とずれるように遊動可能で、且つ回転が阻止された状態で、前記ベースプレート部材の下面側に設けられていることを特徴とするユニット吊上げ連結金具。
【請求項２】
前記遊嵌取付け部材は、底板と、該底板から前記ナット部材を囲むように四方に立設し、内側に前記ナット部材が遊嵌配置される側板とを備える箱形形状を有しており、且つ前記底板には、前記ボルト部材の下端雄ネジ部を遊挿可能な底板ボルト孔が設けられていると共に、少なくとも一対の互いに対向する前記側板の間の間隔が、前記ナット部材の対角線の長さよりも短くなっている請求項１記載のユニット吊上げ連結金具。
【請求項３】
前記ベースプレート部材は、Ｌ字形状に垂直に折曲がって延設される垂直プレートを備え、前記ベースプレート部材は、前記住宅ユニットの縦枠部材の上端部側面に前記垂直プレートを添設固定しつつ、前記上枠部材の下面に沿って設置される請求項１又は２に記載のユニット吊上げ連結金具。
【請求項４】
前記ベースプレート部材の垂直プレートが垂直に折曲がって接合された状態を補強する垂直補強リブが、ベースプレートの側縁部と前記垂直プレートの側縁部とに跨って取り付けられている請求項１〜３のいずれかに記載のユニット吊上げ連結金具。
【発明の詳細な説明】
【０００１】
【発明の属する技術分野】
本発明は、住宅ユニットに取り付けられて当該住宅ユニットの吊上げ用に、又は上下の住宅ユニットの連結用に使用されるユニット吊上げ連結金具に関する。
【０００２】
【従来の技術】
近年、住宅建築物の施工の迅速化や高精度化を図るべく、予め工場等で形成された複数の住宅ユニットを建築施工現場で組み立てて構築するユニット住宅が開発されている。このようなユニット住宅においては、形成された各住宅ユニットを例えば運送用のトラック等に積み込んで建築施工現場に搬入し、例えばクレーン等の吊り上げ用の重機を用いて吊り上げて所望の位置に設置し、他の住宅ユニットと共に連結一体化することによってユニット住宅を組み立てる。
【０００３】
一方、建築施工現場に搬入された住宅ユニットの吊上げ作業は、一般に、ユニット住宅を構成する壁枠組や床枠組等の枠組部材の適宜箇所に取付け金物を介して固定されたナット部材に、アイボルトの先端雄ネジ部を螺合することによって当該アイボルトを締着固定し、このアイボルトのリング状の頭部に吊り上げ用のワイヤ等を係止して吊上げることによって行われていた（例えば、特許文献１、特許文献２参照）。また、上下の住宅ユニットを連結する作業は、例えば下方の住宅ユニットの枠組部材に固定されたナット部材に連結ボルトの下端雄ネジ部を螺合し、連結ボルトの上端部を上方の住宅ユニットの枠組部材に取り付けた上方連結金具に締着することによって行われていた。
【０００４】
【特許文献１】
特開平５−１４１００３号公報（図１）
【特許文献２】
特開平９−７８８４０号公報（図１〜図５）
【０００５】
【発明が解決しようとする課題】
上記従来のアイボルトによる吊上げ構造や連結ボルトによる連結構造では、建築施工現場において、住宅ユニットの壁枠組や床枠組等に固定されたナット部材に対してアイボルトや連結ボルト等のボルト部材を締着固定してゆく作業に手間がかかり、迅速に吊上げ作業や上下の住宅ユニットの連結作業を行うことができない場合がある。
【０００６】
すなわち、ナット部材は、取付け金物を介して、吊上げ時の荷重や連結荷重を支持するのに効果的な、例えば住宅ユニットの上部に配置される上枠部材の下面や、下部に配置される下枠部材の下面に沿って設けられる場合が多く、このように設けられたナット部材に対して、上枠部材や下枠部材の上方から、当該上枠部材や下枠部材を貫通して形成されたボルト挿通孔を経て、ボルト部材の下端雄ネジ部を螺合してゆく必要がある。したがって、特に、上枠部材や下枠部材が例えば複数の部材を重ね合わせることによって形成されており、上枠部材や下枠部材が相当の厚さ（高さ）となっている場合には、ナット部材に向けて相当の長さでボルト部材をボルト挿通孔に挿通し、固定された状態のナット部材にボルト部材の下端雄ネジ部を螺合してゆく作業を行う際に、上枠部材や下枠部材の施工誤差や加工誤差等によってボルト挿通孔やナット部材の位置が少しでもずれていると、これらの誤差の影響を受けて、ナット部材にボルト部材の下端雄ネジ部を螺合し難くなったり、ボルト部材が傾斜して取り付けられるといった不具合を生じやすくなる。
【０００７】
また、上枠部材の下面や下枠部材の下面に設けられたナット部材へボルト部材の下端雄ネジ部を螺合してゆく作業は、壁枠組や床枠組等の内部における見えない施工箇所への作業となる場合もあるため、上枠部材や下枠部材の施工誤差や加工誤差等の影響を受けやすく、これらの誤差を吸収できる手段がないと、ボルト部材の下端雄ネジ部のスムーズな螺合作業を行うことが困難になる。
【０００８】
本発明は、このような従来の課題に着目してなされたものであり、上枠部材や下枠部材の施工誤差や加工誤差等があっても、これらを効果的に吸収して、ボルト部材の下端雄ネジ部を上枠部材や下枠部材の下面側に設けられたナット部材にスムーズに螺合してゆくことができ、これによって住宅ユニットの吊上げ作業や連結作業をスムーズに行うことを可能にするユニット吊上げ連結金具を提供することを目的とする。
【０００９】
【課題を解決するための手段】
本発明は、住宅ユニットに取り付けて当該住宅ユニットの吊上げ用に、又は上下の住宅ユニットの連結用に使用されるユニット吊上げ連結金具であって、前記住宅ユニットを構成する上枠部材又は下枠部材の下面に沿って設置され、前記上枠部材又は下枠部材を貫通して設けられるボルト部材の下端雄ネジ部が遊挿されるボルト孔を有するベースプレート部材と、雌ネジ孔を前記ボルト孔に重ね合わせるようにして前記ベースプレート部材の下面側に配設されるナット部材とからなり、該ナット部材は、遊嵌取付け部材を介して配設されることにより、前記雌ネジ孔の中心軸が前記ボルト孔の中心軸とずれるように遊動可能で、且つ回転が阻止された状態で、前記ベースプレート部材の下面側に設けられていることを特徴とするユニット吊上げ連結金具を提供することにより、上記目的を達成したものである（請求項１記載の発明）。
【００１０】
そして、本発明のユニット吊上げ連結金具によれば、前記遊嵌取付け部材は、底板と、該底板から前記ナット部材を囲むように四方に立設し、内側に前記ナット部材が遊嵌配置される側板とを備える箱形形状を有しており、且つ前記底板には、前記ボルト部材の下端雄ネジ部を遊挿可能な底板ボルト孔が設けられていると共に、少なくとも一対の互いに対向する前記側板の間の間隔が、前記ナット部材の対角線の長さよりも短くなっていることが好ましい（請求項２記載の発明）。
【００１１】
また、本発明のユニット吊上げ連結金具によれば、前記ベースプレート部材は、Ｌ字形状に垂直に折曲がって延設される垂直プレートを備え、前記ベースプレート部材は、前記住宅ユニットの縦枠部材の上端部側面に前記垂直プレートを添設固定しつつ、前記上枠部材の下面に沿って設置されることが好ましい（請求項３記載の発明）。
【００１２】
さらに、本発明のユニット吊上げ連結金具によれば、前記ベースプレート部材の垂直プレートが垂直に折曲がって接合された状態を補強する垂直補強リブが、ベースプレートの側縁部と前記垂直プレート部の側縁部とに跨って取り付けられていることが好ましい（請求項４記載の発明）。
【００１３】
【発明の実施の形態】
以下本発明の好ましい実施形態を添付図面を参照しつつ詳細に説明する。本実施形態によれば、例えば枠組壁工法によるユニット住宅を構成する、予め工場等において製作された図１に示すような住宅ユニット１０を、建築施工現場において吊り上げて、他の住宅ユニットと接合一体化してユニット住宅を形成するべく所定の組立位置に設置する際に、或いは上下に連接される住宅ユニット１０を連結一体化する際に、本発明のユニット吊上げ連結金具を採用したものである。
【００１４】
本実施形態によれば、住宅ユニット１０は、例えば矩形形状の床パネル１１の一対の短辺部及び一方の長辺部から立設して壁パネル１２，１３が設けられるものであり、一対の短辺部から立設する壁パネル１２の上端部には、これの両端部分に配置されて、図２に示すように、本実施形態のユニット吊上げ連結金具１４が、壁パネル１２の壁枠組みを構成する縦枠部材１５及び上枠部材１６に固定して取り付けられている。
【００１５】
また、本実施形態によれば、住宅ユニット１０の吊り上げ時には、上枠部材１６の上面にハット形断面支持金具１９とシャックル金具２０とからなる、本願出願人の出願に係る特願２００２―９４５３１号に記載されるような吊上げ係止部材２１が配設される。この吊上げ係止部材２１は、上枠部材１６に形成した挿通孔３４を介してボルト部材１７を挿通して、このボルト部材１７の下端雄ネジ部２３をユニット吊上げ連結金具１４のナット部材１８に螺合すると共に、このボルト部材１７の座金付き頭部４２をハット形断面支持金具１９の上面に締着固定することによって、上枠部材１６の上面に固定される。この吊上げ係止部材２１のシャックル金具２０に吊りワイヤ２２（図１参照）を係止して、当該吊上げ係止部材２１を介して吊りワイヤ２２により住宅ユニット１０を吊上げることができるようになっている。
【００１６】
そして、本実施形態のユニット吊上げ連結金具１４は、上述のように住宅ユニット１０に取り付けて当該住宅ユニット１０を吊上げる際に、或いは後述するように上下の住宅ユニット１０を連結一体化する際に使用する連結金具であって、図３にも示すように、住宅ユニット１０を構成する上枠部材１６の下面に沿って設置され、挿通孔３４を介して上枠部材１６を上下に貫通して設けられるボルト部材１７の下端雄ネジ部２３が遊挿されるボルト孔２５を有するベースプレート部材２４と、雌ネジ孔２６をボルト孔２５に重ね合わせるようにしてベースプレート部材２４の下面側に配設されるナット部材１８とからなる。またナット部材１８は、遊嵌取付け部材３３を介して配設されることにより、雌ネジ孔２６の中心軸がボルト孔２５の中心軸とずれるように遊動可能で、且つ回転が阻止された状態で、ベースプレート部材２４の下面側に設けられている。
【００１７】
本実施形態のユニット吊上げ連結金具１４を構成するベースプレート部材２４は、例えば厚さ１〜１０ｍｍ程度の金属プレートを曲折加工することによって形成されるものであって、例えば幅３０〜１２０ｍｍ程度、長さ５０〜２００ｍｍ程度の大きさの矩形形状のベースプレート２７と、このベースプレート２７の一短辺の端縁部から垂直に連続して折れ曲がり、ベースプレート２７と一体となってＬ字形状の縦断面を形成する、例えば幅３０〜１２０ｍｍ程度、長さ５０〜３００ｍｍ程度の大きさの、ベースプレート２７と連続する上端接合部分の幅がベースプレート２７の幅と同様となった略矩形形状の垂直プレート２８とからなっている。
【００１８】
また、本実施形態によれば、ベースプレート部材２４のベースプレート２７の内側面（下面）には、当該ベースプレート２７と略同様の大きさの中央プレート２９の両側縁部から垂直補強リブ３０が垂直に折り曲げられて設けられたコの字断面補強部材３１が、中央プレート２９をベースプレート２７に二重に重ねるように接合することによって取り付けられている。コの字断面補強部材３１は、両側の垂直補強リブ３０の各内側端面３２を、垂直プレート２８の幅の狭くなった上端接合部分における側縁部に各々当接接合させることにより、当該垂直補強リブ３０が、ベースプレート２７の側縁部と垂直プレート２８の側縁部とに跨って取り付けられることになり、これによって、ベースプレート２７に対して垂直プレート２８が垂直に折曲がって接合された状態を強固に補強している。
【００１９】
さらに、本実施形態によれば、ベースプレート部材２４のベースプレート２７には、ボルト部材１７の下端雄ネジ部２３が遊挿されるボルト孔２５が、ベースプレート２７とコの字断面補強部材３１の中央プレート２９とを連続貫通させて設けられており、またコの字断面補強部材３１の一対の垂直補強リブ３０には、後述する遊嵌取付け部材３３を係止するための矩形形状の係止開口４５が、各々開口形成されている。
【００２０】
なお、本実施形態によれば、ベースプレート部材２４の垂直プレート２８、及び重ね合わされた中央プレート２９とベースプレート２７には、適宜箇所に複数のビス孔３５が穿設されており、住宅ユニット１０を建築施工現場に搬入するのに先立って、予め工場等においてこれらのビス孔３５に固定ビスを打ち込むことにより（図２参照）、垂直プレート２８は縦枠部材１５の上端部側面に沿って強固に添設固定されると共に、ベースプレート２７は、上枠部材１６の下面に沿って強固に取り付けられることになる。
【００２１】
本実施形態のユニット吊上げ連結金具１４を構成するナット部材１８は、いわゆる６角ナットであって、遊嵌取付け部材３３を介してベースプレート部材２４のベースプレート２７の下面側に、その雌ネジ孔２６をボルト孔２５に重ね合わせるようにして配設されることにより、雌ネジ孔２６の中心軸がボルト孔２５の中心軸とずれるように遊動可能で、且つ回転が阻止された状態で設けられることになる（図４，図５参照）。
【００２２】
ナット部材１８をベースプレート部材２４の下面側に配設する遊嵌取付け部材３３は、図３〜図５に示すように、底板３６と、底板３６からナット部材１８を囲むように四方に立設し、内側にナット部材１８が遊嵌配置される側板３７，３８とを備える箱形形状を有しており、且つ底板３６には、ボルト部材１７の下端雄ネジ部２３を遊挿可能な底板ボルト孔３９が設けらていると共に、互いに対向する二対の側板３７，３８のうちの、少なくとも一方の一対の対向する側板３７は、側板３７の間の間隔が、正６角形状のナット部材１８の対角線の長さよりも短くなっている。
【００２３】
ナット部材１８が四方の側板３７，３８の内側に遊嵌配置されることにより、ナット部材１８はこれらの内側において前後左右に遊動可能な状態となり、これによって、ナット部材１８の中心軸がベースプレート２７のボルト孔２５の中心軸とずれるように、ナット部材１８を相対移動させることが可能になる。また一対の対向する側板３７の間の間隔がナット部材１８の対角線の長さよりも短くなっていることにより、遊嵌取付け部材３３の内部におけるナット部材１８の回転が阻止されて、ボルト部材１７の下端雄ネジ部２３を螺合する際にナット部材１８の共廻りが生じるのを効果的に回避できるようになっている。
【００２４】
また、本実施形態によれば、遊嵌取付け部材３３の他方の対向する側板３８の上端から連続して、外側に折り返すように延設する板バネ片４０が各々設けられており、また各板バネ片４０の先端には、コの字断面補強部材３１の垂直補強リブ３０に開口形成された係止開口４５に係止される係止片４１が連続して設けられている。
【００２５】
四方の側板３７，３８の内側にナット部材１８を配置した状態で、遊嵌取付け部材３３を、板バネ片４０の付勢力に抗してコの字断面補強部材３１の一対の垂直補強リブ３０の間に、ベースプレート２７側に向けて押し込むと共に、押し込んだ遊嵌取付け部材３３の係止片４１を係止開口４５に各々係止することによって、ナット部材１８は、雌ネジ孔２６をボルト孔２５に重ね合わせた状態で、ベースプレート部材２４の下面側に容易に取付けられることになる。
【００２６】
なお、例えば図６（ａ），（ｂ）に示すように、遊嵌取付け部材３３の他方の対向する側板３８の上端から折り返して設けた板バネ片４０の先端部分には、係止片４１に替えてＵ字形状に切り欠かれた係止切欠き４１ａを形成しておき、この係止切欠き４１ａを、係止開口４５に替えてコの字断面補強部材３１の垂直補強リブ３０の内側面から突出させて設けた係止突起４５ａに係止することによって、ナット部材１８をベースプレート部材２４の下面側に取付けることもできる。また、ナット部材１８と共に、これと一体化した座金部材やワッシャ部材、あるいはこれと別体とした座金部材やワッシャ部材を四方の側板３７，３８の内側に配置することにより、これらの座金部材やワッシャ部材もまたベースプレート部材の下面側に容易に配設することができる。
【００２７】
そして、本実施形態によれば、建築施工現場に搬入された住宅ユニット１０を吊り上げる際には、図２に示すように、住宅ユニット１０の上端角部に吊上げ係止部材２１を配置すると共に、配置した吊上げ係止部材２１の上方から、予め工場等において取り付けた吊上げ連結金具１４のベースプレート部材２４の下面側に遊嵌取付け部材３３を介して配設されたナット部材１８に、挿通孔３４及びボルト孔２５を介して挿入されるボルト部材１７の下端雄ネジ部２３を螺合し、ボルト部材１７の座金付き頭部４２をハット形断面支持金具１９の上面に締着固定することによって、吊上げ係止部材２１を上枠部材１６の上面に固定する。しかる後に、固定した吊上げ係止部材２１のシャックル金具２０に吊りワイヤ２２（図１参照）を係止して、当該吊上げ係止部材２１を介して吊りワイヤ２２により住宅ユニット１０を吊上げる。
【００２８】
なお、ボルト部材として両ネジボルトを用い、これの下端雄ネジ部をベースプレート部材２４の下面側に配設されたナット部材１８に螺合し、両ネジボルトの上端雄ネジ部を例えばナット部材を介してハット形断面支持金具１９の上面に締着固定することによって、吊上げ係止部材２１を上枠部材１６の上面に固定することもできる。
【００２９】
一方、本実施形態によれば、上下に連接配置される住宅ユニット１０を連結一体化する際には、ボルト部材１７の締着を解除して、所定の位置に据え付けられた下方の住宅ユニット１０から吊上げ係止部材２１を取り外した後、図７に示すように、例えば両ネジボルト５０をボルト部材として用いて連結作業が行なわれることになる。すなわち、まず下方の住宅ユニット１０の上枠部材１６に形成された挿通孔３４に両ネジボルト５０を上方から挿入して、これの下端雄ネジ部５１を、吊上げ連結金具１４のベースプレート部材２４の下面側に遊嵌取付け部材３３を介して配設されたナット部材１８に螺合することによって、当該両ネジボルト５０を、上方部分を上枠部材１６から上方に突出させた状態で取り付ける。なお、両ネジボルト５０には、その中央の１／３程度の領域を挟んだ上下に、放射方向に突出するリブ５２が各々設けられていると共に、当該中央の領域には、脱落を防止された状態で上下に移動できるように座金５３が遊嵌装着されている。
【００３０】
しかる後に、上方に設置される住宅ユニット１０の下枠部材４３を、突出した両ネジボルト５０の上方部分を挿通孔５４に挿通しつつ、下方に設置した住宅ユニット１０の上枠部材１６の上面に重ねて配置する。ここで、座金５３が上方のリブ５２の下方に配置されていることにより、両ネジボルト５０の上方部分が挿通孔５４にうまく挿通されず、下枠部材４３の下面が両ネジボルト５０の上端に当接して当該両ネジボルト５０が押し下げられようとしても、リブ５２が座金５３の開口縁部に係止されて、座金５３を介してこのような押下げ力が上枠部材１６によって支持されることにより、当該両ネジボルト５０の下方への脱落が、効果的に回避されることになる。
【００３１】
両ネジボルト５０の上方部分を挿通孔５４に挿通しつつ、上方の住宅ユニット１０の下枠部材４３を下方の住宅ユニット１０の上枠部材１６に重ねて配置したら、上方の住宅ユニット１０に固定された連結金具４４の締着孔５５から上方に突出することになる両ネジボルト５０の上方雄ネジ部５６に、ナット部材５７を締着固定することによって、上下の住宅ユニット１０が容易に連結一体化されることになる。
【００３２】
そして、本実施形態のユニット吊上げ連結金具１４によれば、上枠部材１６や下枠部材４３の施工誤差や加工誤差等があっても、これらを効果的に吸収して、ボルト部材１７，５０の下端雄ネジ部２３，５１を上枠部材１６の下面側に設けられたナット部材１８にスムーズに螺合してゆくことができる。すなわち、本実施形態によれば、雌ネジ孔２６をボルト孔２５に重ね合わせるようにしてベースプレート部材２４の下面側に配設されるナット部材１８は、遊嵌取付け部材３３を介して取り付けられることにより、雌ネジ孔２６の中心軸がボルト孔２５の中心軸とずれるように遊動可能で、且つ回転が阻止された状態で、ベースプレート部材２４の下面側に設けられているので、このようなベースプレート部材２４の下面側におけるナット部材１８の遊動によって、上枠部材１６や下枠部材４３の施工誤差等を効果的に吸収することが可能になると共に、ナット部材の共廻りを効果的に回避することが可能になり、これらによって住宅ユニット１０の吊上げ作業や連結作業をスムーズに行うことが可能になる。
【００３３】
なお、本発明は上記実施形態に限定されることなく種々の変更が可能である。例えば、本発明は枠組壁工法による住宅ユニットに限定されることなく、在来軸組工法による住宅ユニット等、その他の種々の住宅ユニットに対して用いることができる。また、ベースプレート部材に垂直プレートを延設させて用いる必要は必ずしもなく、例えば上枠部材の中間部分等においては、縦枠部材に垂直プレートを添設することなく、ベースプレート部材のベースプレートを上枠部材の下面に沿って設けて用いることもできる。さらに、垂直補強リブは必ずしも設ける必要はない。さらにまた、本発明のユニット吊上げ連結金具は、下枠部材に取り付けて、住宅ユニットの吊上げ作業に用いることもできる。
【００３４】
また、遊嵌取付け部材は、上記実施形態の構成のものに限定されることなく、ベースプレート部材の下面側においてナット部材を遊嵌状態で配設しておくことのできる、その他の種々の構成の遊嵌取付け部材を用いることができる。
【００３５】
【発明の効果】
本発明のユニット吊上げ連結金具によれば、上枠部材や下枠部材の施工誤差や加工誤差等があっても、これらを効果的に吸収して、ボルト部材の下端雄ネジ部を上枠部材や下枠部材の下面側に設けたナット部材にスムーズに螺合してゆくことができ、これによって住宅ユニットの吊上げ作業や連結作業をスムーズに行えるようにすることができる。
【図面の簡単な説明】
【図１】本発明の一実施形態に係るユニット吊上げ連結金具を用いた住宅ユニットの吊上げ状況を説明する略示斜視図である。
【図２】本発明の一実施形態に係るユニット吊上げ連結金具を用いた住宅ユニットの吊上げ状況を説明する要部側面図である。
【図３】本発明の一実施形態に係るユニット吊上げ連結金具の構成を説明する分解斜視図である。
【図４】本発明の一実施形態に係るユニット吊上げ連結金具の構成を説明する要部斜視図である。
【図５】図４のＸ−Ｘに沿った断面図である。
【図６】遊嵌取付け部材の他の取付け状態を説明する、（ａ）は要部断面図、（ｂ）は（ａ）のＡ−Ａに沿った断面図である。方の対向する
【図７】本発明の一実施形態に係るユニット吊上げ連結金具を用いて上下の住宅ユニットを連結一体化する状況を説明する要部側面図である。
【符号の説明】
１０  住宅ユニット
１４  ユニット吊上げ連結金具
１５  縦枠部材
１６  上枠部材
１７，５０  ボルト部材
１８，５７  ナット部材
２１  吊上げ係止部材
２２  吊りワイヤ
２３，５１  ボルト部材の下端雄ネジ部
２４  ベースプレート部材
２５  ボルト孔
２６  雌ネジ孔
２７  ベースプレート
２８  垂直プレート
３０  垂直補強リブ
３１  コの字断面補強部材
３３  遊嵌取付け部材
３４  挿通孔
３６  底板
３７，３８  側板
３９  底板ボルト孔
４０  板バネ片
４１  係止片
４３  下枠部材
４４  連結金具
４５  係止開口
５６  上方雄ネジ部
【図１】
2004257118.tif 000003
【図２】
2004257118.tif 000004
【図３】
2004257118.tif 000005
【図４】
2004257118.tif 000006
【図５】
2004257118.tif 000007
【図６】
2004257118.tif 000008
【図７】
2004257118.tif 000009